(57)【要約】【課題】リア式プロジェクタの斜め方向に位置するユーザーが、均一な明るさの画面を見ることができるようにする。【解決手段】リア式プロジェクタに、所定の信号を受信する受信手段２，３と、受信手段２，３で受信したこの信号のレベルに基づき、リア式プロジェクタに対するこの信号の発信源の位置関係を検出する位置検出手段７と、位置検出手段７の検出結果に応じて水平走査方向及び／または垂直走査方向上での輝度を補正する補正手段７，９，１０，１１とを備える。【選択図】　　　　　図２
2004015555.tif 000002
【特許請求の範囲】
【請求項１】
投射型表示装置において、
所定の信号を受信する受信手段と、
前記受信手段で受信した信号のレベルに基づき、前記投射型表示装置に対する前記信号の発信源の位置関係を検出する位置検出手段と、
前記位置検出手段の検出結果に応じて水平走査方向及び／または垂直走査方向上での輝度を補正する補正手段と
を備えたことを特徴とする投射型表示装置。
【請求項２】
請求項１に記載の投射型表示装置において、
前記受信手段は、前記投射型表示装置の遠隔操作用のリモートコントローラからの信号を受信することを特徴とする投射型表示装置。
【請求項３】
請求項１または２に記載の投射型表示装置において、
前記受信手段は、前記投射型表示装置の画面の両端にそれぞれ設けられており、
前記位置検出手段は、前記受信手段で受信した信号のレベルに基づき、前記投射型表示装置に対する前記信号の発信源の距離及び角度を検出することを特徴とする投射型表示装置。
【発明の詳細な説明】
【０００１】
【発明の属する技術分野】
本発明は、背面投射式の投射型表示装置（リア式プロジェクタ）に関し、特に、画面を斜め方向から見た際の明るさの均一化を図ったものに関する。
【０００２】
【従来の技術】
大画面の映像表示装置の一種として、リア式プロジェクタが普及している。リア式プロジェクタは、液晶パネルで形成した画像光（あるいはＣＲＴ管面上の画像光）を、投射レンズ及びミラーを経て、プロジェクタ本体に取り付けた透過型のスクリーンに投射するものである。
【０００３】
リア式プロジェクタは、直視型のディスプレイと比較すると視野角が狭い。そのため、一般に、レンチキュラレンズとフレネルレンズとを組み合わせたシートをスクリーンとして用いることにより、スクリーンで光を拡散して、視野角を改善するようにしている。
【０００４】
【発明が解決しようとする課題】
しかし、このように光を拡散しても、スクリーンを斜めから見た際の輝度は、スクリーンを正面から見た際の輝度よりもかなり小さくなる。
【０００５】
そのため、従来は、例えば図９に示すようにリア式プロジェクタ４１に対してユーザー４２が斜め方向に位置する場合には、画面のうちユーザー４２から近いほうの部分（図では画面の左寄りの部分）は正面から見ることになるので明るく見えるが、画面のうちユーザー４２から遠いほうの部分（図では画面の右寄りの部分）は斜めから見ることになるので暗く見え、その結果ユーザー４２にとって画面の明るさが不均一になってしまう。
【０００６】
例えば家庭内では、部屋のスペースやレイアウトの都合等から、このようにユーザーがリア式プロジェクタの斜め方向の位置から画面を見ざるをえない場合もある。
【０００７】
また、例えば家電販売店の販売コーナーでも、隅のほうに配置しているリア式プロジェクタについては、このように斜め方向の位置からしかユーザー（顧客）に画面を見せることができず、その結果販売促進につながらないこともある。
【０００８】
本発明は、上述の点に鑑み、リア式プロジェクタの斜め方向に位置するユーザーが、均一な明るさの画面を見ることができるようにすることを課題としてなされたものである。
【０００９】
【課題を解決するための手段】
この課題を解決するために、本出願人は、投射型表示装置において、所定の信号を受信する受信手段と、この受信手段で受信したこの信号のレベルに基づき、この投射型表示装置に対するこの信号の発信源の位置関係を検出する位置検出手段と、この位置検出手段の検出結果に応じて水平走査方向及び／または垂直走査方向上での輝度を補正する補正手段とを備えたものを提案する。
【００１０】
この投射型表示装置では、受信した所定の信号のレベルに基づいて投射型表示装置に対する信号発信源の位置関係が検出され、その位置関係に応じて水平走査方向及び／または垂直走査方向上での輝度が補正される。
【００１１】
これにより、その発信源がこの投射型表示装置の斜め方向に位置する場合には、その発信源の位置から見て水平走査方向及び／または垂直走査方向上での輝度が均一になるような補正を行うことができる。
【００１２】
したがって、ユーザーは、この投射型表示装置を視聴する際にその発信源を自分の手許に置いておくことにより、この投射型表示装置の斜め方向に位置する場合にも均一な明るさの画面を見ることができるようになる。
【００１３】
なお、この投射型表示装置において、一例として、受信手段は、投射型表示装置の遠隔操作用のリモートコントローラからの信号を受信するものであることが好適である。
【００１４】
それにより、ユーザーは、投射型表示装置を視聴する際に通常手許に置いているリモートコントローラをそのまま利用して、投射型表示装置の斜め方向に位置する場合にも均一な明るさの画面を見ることができるようになる。
【００１５】
また、この投射型表示装置において、一例として、受信手段を投射型表示装置の画面の両端にそれぞれ設け、これらの受信手段で受信した信号のレベルに基づいて位置検出手段で投射型表示装置に対する信号の発信源の距離及び角度を検出することが好適である。
【００１６】
このように、投射型表示装置に対する信号の発信源の位置関係として距離と角度との両方を検出し、この距離と角度との両方に基づいて水平走査方向及び／または垂直走査方向上での輝度を補正することにより、その発信源の位置から見た水平走査方向及び／または垂直走査方向上での輝度を均一にするための補正を、一層きめ細かく行うことができるようになる。
【００１７】
【発明の実施の形態】
以下、本発明をリア式液晶プロジェクタに適用した例を、図面を用いて具体的に説明する。
【００１８】
図１は、本発明を適用したリア式液晶プロジェクタの外観を示す平面図である。このリア式液晶プロジェクタ１の前面の左，右の端部（画面の両側）には、位置検出用受光部２，３がそれぞれ設けられている。リア式液晶プロジェクタ１の縦方向（垂直方向）での位置検出用受光部２，３の設置箇所の高さは、互いに同じになっている。
【００１９】
位置検出用受光部２，３は、リア式液晶プロジェクタ１の遠隔操作用のリモートコントローラからの赤外線信号を、リア式液晶プロジェクタ１に対するこのリモートコントローラの位置関係の検出用に受信するものである。
【００２０】
なお、リア式液晶プロジェクタ１の前面の中央部には、一般的なリア式液晶プロジェクタにおけるのと同様に、このリモートコントローラからの赤外線信号を受信してそのコードを復調するリモコン受光部４が設けられている。
【００２１】
図２は、このリア式液晶プロジェクタ１内の輝度均一化システムを示す。この輝度均一化システムは、図１に示した位置検出用受光部２，３及びリモコン受光部４と、Ａ／Ｄ変換器５，６と、マイクロコンピュータ７と、バス８を介してマイクロコンピュータ７に接続されたゲインコントロールアンプ９と、セレクタ１０と、乗算器１１とを含んでいる。
【００２２】
位置検出用受光部２と位置検出用受光部３とは互いに同じ構成のものであり、図２には代表的に位置検出用受光部２の構成を示している。位置検出用受光部２，３は、リモートコントローラからの赤外線信号を受信するための、可視光カットレンズ付のフォトダイオード２１を含んでいる。
【００２３】
フォトダイオード２１のカソード側は、抵抗器Ｒ１（１ＭΩ）及び抵抗器Ｒ２（１００ｋΩ）を介して５Ｖの電源に接続されている。フォトダイオード２１のアノード側は、接地されている。
【００２４】
フォトダイオード２１と抵抗器Ｒ１との接続中点ｐ１はトランジスタＱ１のベースに接続されており、抵抗器Ｒ１と抵抗器Ｒ２との接続中点ｐ２はトランジスタＱ１のコレクタに接続されている。トランジスタＱ１のエミッタは、フォトダイオード２１と接地との接続中点に接続されている。
【００２５】
接続中点ｐ２は、アンプ２２を介して、トランジスタＱ２のベースにも接続されている。トランジスタＱ２のコレクタは電源と抵抗器Ｒ２との接続中点に接続されており、トランジスタＱ２のエミッタは抵抗器Ｒ３（１０ｋΩ）を介して接地されている。
【００２６】
トランジスタＱ２と抵抗器Ｒ３との接続中点は、キャパシタＣ１（１μＦ）を介して接地されている。抵抗器Ｒ３とキャパシタＣ１とは、ピークホールド回路を形成している。
【００２７】
なお、通常のコード復調用のリモコン受光部（リア式液晶プロジェクタ１ではリモコン受光部４）内のアンプは、リモートコントローラとの遠近関係にかかわらず正確にコードを復調できるようにするために、フォトダイオードの出力を一定レベルに調整する（リモートコントローラの位置が遠いためにフォトダイオードの出力レベルが低い場合には、ゲインを上げる）ようになっているのが一般的である。
【００２８】
これに対し、位置検出用受光部２，３内のアンプ２２は、常にゲインが一定に（リモートコントローラの位置が遠いためにフォトダイオード２１の出力レベルが低い場合には、アンプ２２の出力レベルもそれに比例して低くなるように）されている。
【００２９】
図３は、位置検出用受光部２，３内における接続中点ｐ１の信号（フォトダイオード２１の出力信号），接続中点ｐ２の信号，図２のｐ３の箇所の信号（ピークホールド回路の出力信号）をそれぞれ例示する図である。
【００３０】
フォトダイオード２１の出力信号のレベルが０．６Ｖである場合、接続中点ｐ２の信号レベルは０．８Ｖになる。そして、この接続中点ｐ２の信号がアンプ２２を介してトランジスタＱ２のベースに供給されたことに基づくトランジスタＱ２のエミッタからの信号のピークレベルが、箇所ｐ３においてピークホールド回路で保持される。
【００３１】
図２に示すように、位置検出用受光部２からは、このピークホールド回路の出力信号ＤＣ１が、Ａ／Ｄ変換器５を介してマイクロコンピュータ７に送られる。位置検出用受光部３からも、このピークホールド回路の出力信号ＤＣ２が、Ａ／Ｄ変換器６を介してマイクロコンピュータ７に送られる。
【００３２】
マイクロコンピュータ７には、リモコン受光部４で復調されたコードも送られる。図４は、このリア式液晶プロジェクタ１の遠隔操作用のリモートコントローラの外観を示す。このリモートコントローラ３１には、通常のリア式液晶プロジェクタの遠隔操作用のリモートコントローラにおけるのと同様な各種の操作釦に加えて、画面の明るさを均一化させるための操作釦である明るさ均一化釦３２が設けられている。したがって、マイクロコンピュータ７には、この明るさ均一化釦３２の操作に基づくコードも送られる。
【００３３】
図２に示すように、セレクタ１０の一方の選択入力端子には、このリア式液晶プロジェクタ１内の水平走査のこぎり波発生回路（図示略）によって水平同期信号から作成された水平走査のこぎり波ＨＳＡＷ（＋）（右肩下がりの水平走査のこぎり波）が入力する。また、セレクタ１０のもう一方の選択入力端子には、この水平走査のこぎり波発生回路によってＨＳＡＷ（＋）を反転させて作成された水平走査のこぎり波ＨＳＡＷ（−）（右肩上がりの水平走査のこぎり波）が入力する。
【００３４】
マイクロコンピュータ７からは、セレクタ１０に選択制御信号が与えられる。セレクタ１０で選択された水平走査のこぎり波（ＨＳＡＷ（＋），ＨＳＡＷ（−）のいずれか）は、ゲインコントロールアンプ９に送られる。
【００３５】
ゲインコントロールアンプ９には、マイクロコンピュータ７から、ゲイン値を示す制御信号がバス８を介して送られる。ゲインコントロールアンプ９でゲイン調整された水平走査のこぎり波は、乗算器１１に送られる。
【００３６】
乗算器１１では、この水平走査のこぎり波が、リア式液晶プロジェクタ１内の映像信号処理系（図示略）から出力された映像信号（ＲＧＢ）信号に重畳される。この水平走査のこぎり波を重畳された映像信号は、リア式液晶プロジェクタ１内の液晶駆動回路（図示略）に送られる。
【００３７】
マイクロコンピュータ７内のＲＯＭには、図５に示すようなデータテーブルが格納されている。このデータテーブルは、図６に示すようなリア式液晶プロジェクタ１の画面（スクリーン）の中心に対する水平方向上での距離Ｘの大きさ（Ｘ１未満であるか、Ｘ１以上Ｘ２未満であるか、Ｘ２以上Ｘ３未満であるか、Ｘ３以上あるか）及びこの画面中心の正面に対する水平方向上での角度Ｙの大きさ（Ｙ１未満であるか、Ｙ１以上Ｙ２未満であるか、Ｙ２以上Ｙ３未満であるか、Ｙ３以上あるか）と、ゲインコントロールアンプ９のゲイン値とを対応させたものである。
【００３８】
このデータテーブル内のゲイン値は、角度が大きくなるほど増加するとともに、距離が大きくなるほど減少している。また、角度がＹ１未満である場合（画面中心のほぼ正面である場合）のデータテーブル内のゲイン値は、水平走査のこぎり波ＨＳＡＷ（＋）やＨＳＡＷ（−）がゲインコントロールアンプ９によって平坦な波形に変換されるような小さな値になっている。
【００３９】
図７は、マイクロコンピュータ７が実行する処理を示すフローチャートである。この処理は、図４のリモートコントローラ３１の明るさ均一化釦３２の操作に基づくコードがマイクロコンピュータ７に送られるとスタートし、最初に、位置検出用受光部２，３から現在送られている信号ＤＣ１，ＤＣ２のレベルをそれぞれ見る（ステップＳ１）。
【００４０】
続いて、このリア式液晶プロジェクタ１の画面の中心に対するリモートコントローラ３１の現在の距離Ｘを、Ｘ＝（ＤＣ１＋ＤＣ２）／２として求める（ステップＳ２）。
【００４１】
また、このリア式液晶プロジェクタ１の画面の中心に対するリモートコントローラ３１の現在の角度Ｙを、Ｙ＝ＤＣ１−ＤＣ２の絶対値として求める（ステップＳ３）。
【００４２】
続いて、図５のデータテーブルにおいてこの求めた距離Ｘ及び角度Ｙに対応しているゲイン値を求める（ステップＳ４）。そして、その求めたゲイン値を示す制御信号を、バス８を介してゲインコントロールアンプ９に送る（ステップＳ５）。
【００４３】
続いて、信号ＤＣ１のレベルが信号ＤＣ２のレベル以上であるか否かを判断する（ステップＳ６）。イエスであれば、ＨＳＡＷ（−）を選択させる選択制御信号をセレクタ１０に与え（ステップＳ７）、他方ノーであれば、ＨＳＡＷ（＋）を選択させる選択制御信号をセレクタ１０に与える（ステップＳ８）。ステップＳ７またはＳ８を終えると、処理を終了する。
【００４４】
次に、このリア式液晶プロジェクタ１の動作を説明する。家庭内において、図８Ａに示すように、リア式液晶プロジェクタ１に対してユーザー４２が斜め左方向に位置する場合に、ユーザー４２がリモートコントローラ３１（図４）の明るさ均一化釦３２を操作すると、その操作に基づくコードがリモコン受光部４（図１，図２）からマイクロコンピュータ７（図２）に送られるとともに、その操作に基づく赤外線信号が位置検出用受光部２，３（図１，図２）のフォトダイオード２１（図２）でそれぞれ受光されて、位置検出用受光部２，３から信号ＤＣ１，ＤＣ２がそれぞれマイクロコンピュータ７に送られる。
【００４５】
このとき、位置検出用受光部２よりも位置検出用受光部３のほうがリモートコントローラ３１から遠いので、位置検出用受光部２のフォトダイオード２１の出力信号よりも位置検出用受光部３のフォトダイオード２１の出力信号のほうがレベルが低くなる。したがって、信号ＤＣ１（位置検出用受光部２のピークホールド回路の出力信号）よりも信号ＤＣ２（位置検出用受光部３のピークホールド回路の出力信号）のほうがレベルが低くなる。
【００４６】
また、信号ＤＣ１や信号ＤＣ２そのものの絶対的なレベルも、位置検出用受光部２や位置検出用受光部３がリモートコントローラ３１から遠いほど低くなる。
【００４７】
マイクロコンピュータ７では、この均一化釦３２の操作に基づくコードが送らたことに基づき、信号ＤＣ１，ＤＣ２のレベルから、リア式液晶プロジェクタ１の画面中心に対するリモートコントローラ３１の現在の距離Ｘ及び角度Ｙが求められる（図７のステップＳ１〜Ｓ３）。
【００４８】
そして、マイクロコンピュータ７内のデータテーブル（図５）においてこの距離Ｘ及び角度Ｙに対応しているゲイン値を示す制御信号が、ゲインコントロールアンプ９に与えれられる（ステップＳ４，Ｓ５）。
【００４９】
また、このとき信号ＤＣ１のレベルが信号ＤＣ２のレベル以上なので、水平走査のこぎり波ＨＳＡＷ（−）を選択させる選択制御信号がマイクロコンピュータ７からセレクタ１０に与えられ（ステップＳ６，Ｓ７）、このＨＳＡＷ（−）がセレクタ１０からゲインコントロールアンプ９に送られる。
【００５０】
そして、このＨＳＡＷ（−）がゲインコントロールアンプ９で図８Ａのようにゲイン調整された後乗算器１１で映像信号と重畳されるので、映像信号の水平走査方向上でのレベルが、画面の左端から右端に向けて漸増するように補正される。
【００５１】
これにより、リア式液晶プロジェクタ１の斜め左方向に位置するユーザー４２の位置（リモートコントローラ３１の位置）から見て水平走査方向上での輝度が均一になるように輝度が補正されるので、ユーザー４２は均一な明るさの画面を見ることができる。
【００５２】
他方、図８Ｂに示すように、リア式液晶プロジェクタ１に対してユーザー４２が正面方向に位置する場合に、ユーザー４２がリモートコントローラ３１の明るさ均一化釦３２を操作すると、今度は信号ＤＣ１のレベルと信号ＤＣ２のレベルとが略等しいので、図７のステップＳ３で求められる角度Ｙは図５，図６の角度Ｙ１以下になる。
【００５３】
したがって、この場合には、角度がＹ１未満である場合のデータテーブル内のゲイン値（前述のようにＨＳＡＷ（＋）やＨＳＡＷ（−）をゲインコントロールアンプ９によって平坦な波形に変換させるような小さなゲイン値）を示す制御信号がゲインコントロールアンプ９に与えれられる。
【００５４】
その結果、ＨＳＡＷ（＋），ＨＳＡＷ（−）のいずれがセレクタ１０で選択されてゲインコントロールアンプ９に送られた場合（信号ＤＣ１，ＤＣ２のいずれのレベルが僅かに大きかった場合）にも、ゲインコントロールアンプ９からは図８Ｂのように平坦な波形が乗算器１１に送られ、この平坦な波形が乗算器１１で映像信号と重畳されるので、ユーザー４２はやはり均一な明るさの画面を見ることができる。
【００５５】
他方、図８Ｃに示すように、リア式液晶プロジェクタ１に対してユーザー４２が斜め右方向に位置する場合に、ユーザー４２がリモートコントローラ３１の明るさ均一化釦３２を操作すると、今度は信号ＤＣ１のレベルが信号ＤＣ２のレベル未満なので、水平走査のこぎり波ＨＳＡＷ（＋）を選択させる選択制御信号がマイクロコンピュータ７からセレクタ１０に与えられ（ステップＳ６，Ｓ８）、このＨＳＡＷ（＋）がセレクタ１０からゲインコントロールアンプ９に送られる。
【００５６】
そして、このＨＳＡＷ（＋）がゲインコントロールアンプ９で図８Ｃのようにゲイン調整された後乗算器１１で映像信号と重畳されるので、映像信号の水平走査方向上でのレベルが、画面の左端から右端に向けて漸減するように補正される。
【００５７】
これにより、リア式液晶プロジェクタ１の斜め右方向に位置するユーザー４２の位置（リモートコントローラ３１の位置）から見て水平走査方向上での輝度が均一になるように輝度が補正されるので、ユーザー４２はやはり均一な明るさの画面を見ることができる。
【００５８】
以上のように、このリア式液晶プロジェクタ１によれば、リア式液晶プロジェクタ１に対するリモートコントローラ３１の位置関係に応じて水平走査方向上での輝度を補正することにより、リモートコントローラ３１がリア式液晶プロジェクタ１の斜め方向に位置する場合に、リモートコントローラ３１の位置から見て水平走査方向上での輝度が均一になるような補正が行われる。
【００５９】
これにより、ユーザーは、リア式液晶プロジェクタ１を視聴する際に通常手許に置いているリモートコントローラ３１をそのまま利用して、リア式液晶プロジェクタ１の斜め方向に位置する場合にも均一な明るさの画面を見ることができるようになっている。
【００６０】
また、リア式液晶プロジェクタ１に対するリモートコントローラ３１の位置関係として距離Ｘと角度Ｙとの両方を検出し、この距離Ｘと角度Ｙとの両方に基づいて水平走査方向上での輝度を補正することにより、リモートコントローラ３１の位置（ユーザーの位置）から見た水平走査方向上での輝度を均一にするための補正を、きめ細かく行うようになっている。
【００６１】
すなわち、ユーザーがリア式液晶プロジェクタ１に対して斜め方向に位置している場合（角度Ｙが大きい場合）でも、ユーザーがリア式液晶プロジェクタ１から遠く離れているとき（距離Ｘが大きいとき）は、リア式液晶プロジェクタ１の近くにいるとき（距離Ｘが小さいとき）よりも画面の左寄りの部分と右寄りの部分との明るさの差がそれほど感じられなくなるので、輝度の補正量は少なくしてよいはずである。
【００６２】
そこで、マイクロコンピュータ７内のデータテーブルは、前述のように角度Ｙが同じであっても距離Ｘが大きくなるほどゲイン値が減少するように（輝度の補正量を少なくするように）になっている。
【００６３】
このようにして、リモートコントローラ３１の位置（ユーザーの位置）から見た水平走査方向上での輝度を均一にするための補正を、距離Ｘと角度Ｙとの両方に基づいてきめ細かく行うようになっている。
【００６４】
なお、以上の例では水平走査方向上での輝度を補正しているが、これに加え（あるいはこれに代えて）、リア式液晶プロジェクタ１の縦方向における異なる高さの箇所に複数の位置検出用受光部を設けて画面中心に対する垂直方向上でのリモートコントローラ３１の距離や角度を検出することにより、垂直走査方向上での輝度も補正するようにしてよい。
【００６５】
また、以上の例ではリア式液晶プロジェクタ１に対するリモートコントローラ３１の位置関係に応じて水平走査方向上での輝度を補正しているが、リモートコントローラ３１以外の専用の信号発信源を用意し、リア式液晶プロジェクタ１に対するその発信源の位置関係に応じて水平走査方向上での輝度を補正するようにしてもよい。
【００６６】
その場合にも、ユーザーは、リア式液晶プロジェクタ１を視聴する際にその発信源を自分の手許に置いておくことにより、やはりリア式液晶プロジェクタ１の斜め方向に位置する場合にも均一な明るさの画面を見ることができるようになる。
【００６７】
また、以上の例ではリア式液晶プロジェクタに本発明を適用しているが、それ以外の投射型表示装置（例えばＣＲＴを用いたリア式プロジェクタ）にも本発明を適用してよい。
【００６８】
また、本発明は、以上の例に限らず、本発明の要旨を逸脱することなく、その他様々の構成をとりうることはもちろんである。
【００６９】
【発明の効果】
以上のように、本発明に係る投射型表示装置によれば、投射型表示装置に対する信号の発信源の位置関係に応じて水平走査方向及び／または垂直走査方向上での輝度を補正することにより、その発信源がこの投射型表示装置の斜め方向に位置する場合には、その発信源の位置から見て水平走査方向及び／または垂直走査方向上での輝度が均一になるような補正を行うことができる。
【００７０】
これにより、ユーザーは、投射型表示装置を視聴する際にその発信源を自分の手許に置いておくことにより、投射型表示装置の斜め方向に位置する場合にも均一な明るさの画面を見ることができるという効果が得られる。
【００７１】
また、ユーザーは、投射型表示装置を視聴する際に通常手許に置いているリモートコントローラをそのまま利用して、投射型表示装置の斜め方向に位置する場合にも均一な明るさの画面を見ることができるという効果も得られる。
【００７２】
また、投射型表示装置に対する信号の発信源の位置関係として距離と角度との両方を検出し、この距離と角度との両方に基づいて水平走査方向及び／または垂直走査方向上での輝度を補正することにより、その発信源の位置から見た水平走査方向及び／または垂直走査方向上での輝度を均一にするための補正を、一層きめ細かく行うことができるという効果も得られる。
【図面の簡単な説明】
【図１】本発明を適用したリア式液晶プロジェクタの外観を示す平面図である。
【図２】本発明を適用したリア式液晶プロジェクタ内の輝度均一化システムを示す図である。
【図３】図２の位置検出用受光部内の信号を示す図である。
【図４】本発明を適用したリア式液晶プロジェクタの遠隔操作用のリモートコントローラの外観を示す図である。
【図５】図２のマイクロコンピュータ内のデータテーブルを示す図である。
【図６】リア式液晶プロジェクタの画面の中心に対する距離Ｘ及び角度Ｙを示す図である。
【図７】図２のマイクロコンピュータが実行する処理を示すフローチャートである。
【図８】本発明を適用したリア式液晶プロジェクタでの画面の明るさの均一化の様子を示す図である。
【図９】従来のリア式プロジェクタでの画面の明るさを例示する図である。
【符号の説明】
１　リア式液晶プロジェクタ、　２，３　位置検出用受光部、　４　リモコン受光部、　５，６　Ａ／Ｄ変換器、　７　マイクロコンピュータ、　８　バス、９　ゲインコントロールアンプ、　１０　セレクタ、　１１　乗算器、　２１フォトダイオード、　３１　リモートコントローラ、　３２　明るさ均一化釦
【図１】
2004015555.tif 000003
【図２】
2004015555.tif 000004
【図３】
2004015555.tif 000005
【図４】
2004015555.tif 000006
【図５】
2004015555.tif 000007
【図６】
2004015555.tif 000008
【図７】
2004015555.tif 000009
【図８】
2004015555.tif 000010
【図９】
2004015555.tif 000011